(57)【特許請求の範囲】
【請求項１】
ねじ山を有する完全山部と、その完全山部に連設されると共にテーパ状のねじ山を有する食付き部とを備え、その食付き部の最も先端側に位置するねじ山の一部が、先端側にフランクが形成されていない不完全なねじ山を面取りすることで形成され、塑性変形によってめねじを形成する盛上げタップにおいて、
前記食付き部の最も先端側に位置するねじ山は、前記完全山部の軸方向視において、径方向へ突出して形成される複数の凸部と、その凸部よりも小径に形成される複数の逃げ部と、前記不完全なねじ山が面取りされた複数の傾斜面とを備え、
複数の前記傾斜面のそれぞれは、ねじ山の山頂側ほど前記完全山部側に位置するように傾斜する平面状に形成され、
前記食付き部の最も先端側に位置するねじ山の高さは、その山のつる巻き線に沿って前記食付き部の先端部から漸次高くなる態様で形成され、
複数の前記傾斜面が軸回りに連なるように形成され、軸回りで隣合う前記傾斜面同士の境界部分に前記凸部の頂が位置することを特徴とする盛上げタップ。
【請求項２】
前記軸を含む平面で切断した断面視において、前記傾斜面は、その傾斜面を含む仮想線と、前記傾斜面が形成されるねじ山に隣接する前記食付き部または前記完全山部のねじ山とが重複しない姿勢で形成されることを特徴とする請求項１記載の盛上げタップ。
【請求項３】
前記軸を含む平面で切断した断面視において、前記傾斜面は、前記傾斜面が形成されるねじ山に隣接する前記食付き部または前記完全山部のねじ山の先端側のフランクと略平行に形成されることを特徴とする請求項２記載の盛上げタップ。
【請求項４】
ねじ山を有する完全山部と、その完全山部に連設されると共にテーパ状のねじ山を有する食付き部とを備え、その食付き部の最も先端側に位置するねじ山の一部が、先端側にフランクが形成されていない不完全なねじ山を面取りすることで形成され、塑性変形によってめねじを形成する盛上げタップの製造方法において、
前記完全山部の軸方向視において、径方向に突出して形成される複数の凸部、及び、その凸部よりも小径に形成される複数の逃げ部を備えるねじ山を、前記完全山部および前記食付き部に形成するねじ山形成工程と、
そのねじ山形成工程で形成された前記不完全なねじ山を面取りすることにより、ねじ山の山頂側ほど前記完全山部側に位置するように傾斜する平面状の傾斜面を、前記食付き部の最も先端側に位置するねじ山に複数形成する面取り工程とを備え、
前記面取り工程では、前記不完全なねじ山にもとより形成される凸部および逃げ部を残して前記不完全なねじ山を面取りすると共に、前記食付き部の最も先端側に位置するねじ山の高さが、その山のつる巻き線に沿って前記食付き部の先端部から漸次高くなるように前記不完全なねじ山を面取りし、
前記面取り工程では、複数の前記傾斜面が軸回りに連なるように前記不完全なねじ山を面取りすると共に、軸回りで隣合う前記傾斜面同士の境界部分に前記凸部の頂が位置するように前記不完全なねじ山を面取りすることを特徴とする盛上げタップの製造方法。
【発明の詳細な説明】
【技術分野】
【０００１】
本発明は、盛上げタップに関し、特に、めねじの加工不良を抑制できる盛上げタップ及び盛上げタップの製造方法に関する。
【背景技術】
【０００２】
盛上げタップの食付き部の先端部のねじ山は、半端山（ねじ山の一部が切除される態様で形成される不完全なねじ山であって、食付き部の先端側にフランクが形成されないねじ山）として形成されることが知られている（例えば、特許文献１）。この半端山の頂を除去するために、従来は、盛上げタップの軸の周方向に沿って面取りを行っていた。
【先行技術文献】
【特許文献】
【０００３】
【特許文献１】特開２０１１−１５２６１４（例えば、図１（ｄ））
【発明の概要】
【発明が解決しようとする課題】
【０００４】
しかしながら、上述した従来の技術では、面取り後の半端山の頂が、盛上げタップの軸方向視においてその軸周りに沿った曲面に（半端山の頂の高さが軸周りに沿って略一定に）形成される。この場合、半端山が下穴の内周面に接触した状態で盛上げタップが回転すると、下穴の内周面に半端山の頂が押圧された状態で擦れ合うことで、半端山の頂のエッジ部分が欠けやすい（通常、半端山の外径よりも下穴の内径が大きく形成されるものの、盛上げタップの軸ずれによって半端山の頂と下穴とが接触する場合がある）。よって、下穴の内周面と盛上げタップのねじ山との間に半端山の破片が噛み込まれることにより、めねじの加工不良が生じやすいという問題点があった。
【０００５】
本発明は、上述した問題点を解決するためになされたものであり、めねじの加工不良を抑制できる盛上げタップ及び盛上げタップの製造方法を提供することを目的としている。
【課題を解決するための手段および発明の効果】
【０００６】
請求項１記載の盛上げタップ及び請求項４記載の盛上げタップの製造方法によれば、食付き部の最も先端側に位置するねじ山は、完全山部の軸方向視において、径方向へ突出して形成される複数の凸部と、その凸部よりも小径に形成される複数の逃げ部とを備えるので、下穴の内周面と食付き部の最も先端側に位置するねじ山とが接触した状態で盛上げタップが回転した場合に、食付き部の最も先端側に位置するねじ山の凸部を下穴の内周面に食い込ませると共に、その凸部によって下穴の内周面を盛上げる作用を生じさせることができる。
【０００７】
これにより、食付き部の最も先端側に位置するねじ山が、下穴の内周面に押圧された状態で擦れ合うことを抑制できるので、食付き部の最も先端側に位置するねじ山が欠けることを抑制できる。よって、下穴の内周面と盛上げタップのねじ山との間に、食付き部の最も先端側に位置するねじ山の破片が噛み込まれることを抑制できるので、めねじの加工不良を抑制できるという効果がある。
【０００８】
また、食付き部の最も先端側に位置するねじ山は、先端側にフランクが形成されていない不完全なねじ山が面取りされた複数の傾斜面を備え、それら複数の傾斜面は、軸を含む平面で切断した断面視において、軸と直角な方向よりも完全山部側に傾斜した姿勢で形成されるので、食付き部の最も先端側に位置するねじ山の頂を完全山部側に位置させることができる。
【０００９】
これにより、食付き部のねじ山が下穴の内周面に食い込む前に、食付き部の最も先端側に位置するねじ山と下穴の内周面とが接触することを抑制できる。即ち、食付き部のねじ山が下穴に食い込み始めれば、盛上げタップが軸ずれし難くなるため、食付き部の最も先端側に位置するねじ山と下穴の内周面とが接触することを抑制できる。よって、食付き部の最も先端側に位置するねじ山が欠けることを抑制できるという効果がある。
【００１０】
また、複数の傾斜面は、ねじ山の山頂側ほど完全山部側に位置するように傾斜する平面状に形成されるので、食付き部の最も先端側に位置するねじ山の頂が径方向へ突出した形状（軸から離間する方向へ先細りの山形形状）となる。これにより、食付き部の最も先端側に位置するねじ山の凸部が下穴の内周面に食い込みやすくなるので、その凸部による盛上げの作用を高めることができる。よって、食付き部の最も先端側に位置するねじ山が下穴の内周面に押圧された状態で擦れ合うことを抑制できるので、食付き部の最も先端側に位置するねじ山が欠けることを抑制できるという効果がある。
【００１１】
請求項２記載の盛上げタップによれば、請求項１記載の盛上げタップの奏する効果に加え、軸を含む平面で切断した断面視において、傾斜面は、その傾斜面を含む仮想線と、傾斜面が形成されるねじ山に隣接する食付き部または完全山部のねじ山とが重複しない姿勢で形成されるので、研削砥石によって不完全なねじ山を面取して傾斜面を形成する際に、食付き部の最も先端側に位置するねじ山に軸方向で隣接するねじ山に研削砥石が接触することを抑制できる。よって、研削砥石を複雑に制御することなく、傾斜面を容易に形成できるという効果がある。
【００１２】
請求項３記載の盛上げタップによれば、請求項２記載の盛上げタップの奏する効果に加え、軸を含む平面で切断した断面視において、傾斜面は、傾斜面が形成されるねじ山に隣接する食付き部または完全山部のねじ山の先端側のフランクと略平行に形成されるので、食付き部の最も先端側に位置するねじ山の凸部による盛上げの作用を高めることができる。よって、食付き部の最も先端側に位置するねじ山が下穴の内周面に押圧された状態で擦れ合うことを抑制できるので、食付き部の最も先端側に位置するねじ山が欠けることを抑制できるという効果がある。
【００１３】
【００１４】
請求項４記載の盛上げタップの製造方法によれば、完全山部の軸方向視において、径方向に突出して形成される複数の凸部、及び、その凸部よりも小径に形成される複数の逃げ部を備えるねじ山を、完全山部および食付き部に形成するねじ山形成工程と、そのねじ山形成工程で形成された不完全なねじ山を面取りすることにより、ねじ山の山頂側ほど完全山部側に位置するように傾斜する平面状の傾斜面を、食付き部の最も先端側に位置するねじ山に複数形成する面取り工程とを備え、面取り工程では、不完全なねじ山にもとより形成される凸部および逃げ部を残して不完全なねじ山を面取りするので、食付き部の最も先端側に位置するねじ山に凸部および逃げ部を容易に形成することができる。
【００１５】
即ち、先端側にフランクが形成されていない不完全なねじ山は、食付き部のねじ山の一部として形成されるので、不完全なねじ山には、完全山部および食付き部のねじ山と同様の凸部及び逃げ部がもとより形成されている。よって、不完全なねじ山にもとより形成されている凸部および逃げ部を残して面取りすることにより、食付き部の最も先端側に位置するねじ山に凸部および逃げ部を容易に形成することができるという効果がある。
【図面の簡単な説明】
【００１６】
【図１】（ａ）は、本発明の第１実施の形態における盛上げタップの側面図であり、（ｂ）は、図１（ａ）の矢印Ｉｂ方向から視た盛上げタップの正面図である。
【図２】図１（ｂ）のＩＩ−ＩＩ線における盛上げタップの部分断面図である。
【図３】（ａ）は、第２実施の形態における盛上げタップの正面図であり、（ｂ）は、図３（ａ）のＩＩＩｂ−ＩＩＩｂ線における盛上げタップの部分断面図である。
【発明を実施するための形態】
【００１７】
以下、本発明の好ましい実施の形態について、添付図面を参照して説明する。まず、図１（ａ）を参照して、第１実施の形態における盛上げタップ１の全体構成について説明する。図１（ａ）は、本発明の第１実施の形態における盛上げタップ１の側面図である。なお、図１（ａ）では、盛上げタップ１の一部が省略して図示される
図１（ａ）に示すように、盛上げタップ１は、シャンク２と、そのシャンク２の先端側（図１（ａ）の左側）に配設されるおねじ部３とからなり、シャンク２を保持するホルダー（図示せず）を介して伝達される加工機械の回転力とねじのリードに合った送りとによって、被加工物の下穴（めねじを形成するために被加工物にあらかじめ形成される穴）にめねじを形成する用途に用いられる工具である。なお、盛上げタップ１によるめねじ加工は、マシニングセンター等による機械加工に限られず、手作業によって行われても良い。
【００１８】
シャンク２は、円柱状の本体部２０と、その本体部２０の後端側（図１（ａ）の右側）に配設されると共に、断面略四角形状に形成されるシャンク四角部２１とを備え、高速度工具鋼から形成される。なお、シャンク２の材質は、高速度工具鋼に限られず、超硬合金から構成されてもよい。
【００１９】
おねじ部３は、おねじ部３の先端側（図１（ａ）の左側）に配設される食付き部３１と、その食付き部３１に連設されると共にシャンク２側に配設される完全山部３２とを備え、被加工物に設けられた下穴内を螺進して、めねじを形成（塑性加工）するための部位である。
【００２０】
食付き部３１は、被加工物の下穴表層部に食い込み、被加工物を塑性変形させることで、めねじを形成するための部位であり、完全山部３２は、被加工物へのめねじの形成時に、めねじ表面の仕上げとガイド或いは自己案内性を向上させる部位である。これら食付き部３１及び完全山部３２には、谷底からの高さが略均一のねじ山が所定のリード角のうずまき線に沿って形成される。
【００２１】
次いで、図１（ｂ）及び図２を参照して、おねじ部３の詳細構成について説明する。図１（ｂ）は、図１（ａ）の矢印Ｉｂ方向から視た盛上げタップ１の正面図である。図２は、図１（ｂ）のＩＩ−ＩＩ線における盛上げタップ１の部分断面図である。なお、図１（ｂ）及び図２では、理解を容易にするために、盛上げタップ１の一部が省略して図示される。また、食付き部３１及び完全山部３２のねじ山の角度は、略６０°で形成されるが、図２では、食付き部３１及び完全山部３２のねじ山が模式的に図示される。
【００２２】
図１（ｂ）及び図２に示すように、食付き部３１及び完全山部３２のねじ山は、それら食付き部３１及び完全山部３２の軸（以下「軸Ｏ」と称す）方向視において、径方向（軸Ｏから離間する方向）へ向けて突出して形成される凸部３１ａ，３２ａと、それら凸部３１ａ，３２ａよりも小径に形成される逃げ部３１ｂ，３２ｂと、ねじ山の頂と谷底とを連絡する面として形成される一対のフランク３１ｃ，３２ｃとをそれぞれ備える。
【００２３】
凸部３１ａ，３２ａは、被加工物の下穴表層部に食い込み、螺進することにより被加工物を塑性変形させてめねじを形成するための部位であり、各凸部３１ａ，３２ａどうしの間に逃げ部３１ｂ，３２ｂがそれぞれ形成される。即ち、おねじ部３のねじ山には、凸部３１ａ（３２ａ）と小径の逃げ部３１ｂ（３２ｂ）とが、ねじの進み方向に沿って（即ち、所定のリード角のうずまき線に沿って）交互にかつ軸Ｏ周りに連なって形成され、おねじ部３の軸Ｏ方向視における外形形状が多角形状（本実施の形態では、略９角形状）に形成される。
【００２４】
また、軸Ｏ方向視において、食付き部３１の凸部３１ａ（逃げ部３１ｂ）よりも完全山部３２の凸部３２ａ（逃げ部３２ｂ）が大径に形成される（軸Ｏと直角な方向視において、食付き部３１のねじ山がテーパ状に形成される）。
【００２５】
また、食付き部３１の先端部（図１（ｂ）の紙面手前側、図２の左側）のねじ山は、その先端から略半周が半端山部３３として形成される。この半端山部３３は、食付き部３１のねじ山の一部であるが、説明の便宜上、理解を容易にするために食付き部３１と符号を分けて説明する。
【００２６】
ここで、食付き部３１のねじ山の形成時には、そのねじ山の一部が残存することで食付き部３１の先端部に半端山（おねじ部３の軸Ｏ方向端面側（図２の左側）にフランクが形成されないねじ山）が形成される。この半端山は、図１（ｂ）のＰ１で示す位置からつる巻き線に沿って軸Ｏ周りに略１８０°回転した位置Ｐ３までの領域に形成され、その半端山の山頂側（図２のＴで示す部位）を面取りすることで半端山部３３が形成される（なお、以下の説明において、例えば、「Ｐ１で示す位置からつる巻き線に沿って軸Ｏ周りに略１８０°回転した位置Ｐ３まで」との記載を、「Ｐ１からＰ３まで」と省略して記載する。また、Ｐ１を基準とした場合、Ｐ２の位置がつる巻き線に沿って略８０°、Ｐ３が略１８０°、Ｐ４が略２４０°、Ｐ５が略４４０°、それぞれ回転した位置に相当する）。
【００２７】
即ち、半端山部３３の形成前（面取り工程の前）の状態では、Ｐ１からＰ３までの領域における食付き部３１のねじ山は、その食付き部３１の先端側にフランクが形成されないねじ山として形成され、Ｐ３から徐々にフランク（食付き部３１の先端側のフランク）が形成され始める。本実施の形態では、Ｐ１からＰ４までの領域が面取りされ、Ｐ４からＰ５までの領域における食付き部３１のねじ山には、面取りはされていない。
【００２８】
この場合、半端山部３３には、軸Ｏ方向視において径方向（軸Ｏから離間する方向）へ突出して形成される凸部３３ａと、その凸部３３ａよりも小径に形成される逃げ部３３ｂとが形成される。
【００２９】
これにより、下穴の内周面と半端山部３３とが接触した状態で盛上げタップ１が回転した場合に、凸部３３ａを下穴の内周面に食い込ませると共に、凸部３３ａによって下穴の内周面を盛上げさせる作用を生じさせることができる（食付き部３１のねじ山と同様の盛上げ作用を半端山部３３に生じさせることができる）。
【００３０】
即ち、軸Ｏの周方向に沿って半端山の頂を面取りする（面取り後の半端山部の頂の高さが軸Ｏ周りに沿って略一定に形成されることで、下穴の内周面を盛上げる作用が生じない）場合に比べ、下穴の内周面に半端山部３３が押圧された状態で擦れ合うことを抑制できるので、半端山部３３が欠けることを抑制できる。よって、めねじの加工時に下穴の内周面と食付き部３１（完全山部３２）のねじ山との間に半端山部３３の破片が噛み込まれることを抑制できるので、めねじの加工不良を抑制できる。
【００３１】
また、半端山部３３は、食付き部３１の先端側（図２の左側）に形成される傾斜面３３ｃを備え、この傾斜面３３ｃは、軸Ｏを含む平面で切断した断面視（以下「断面視」と称す）において、軸Ｏと直角な方向よりも完全山部３２側（おねじ部３の後端側。図２の右側）に傾斜した平面として形成される。
【００３２】
即ち、傾斜面３３ｃは、断面視において、軸Ｏと直角な方向よりも完全山部３２側に傾斜した姿勢で（仮想線Ｖ１で示す方向に沿った姿勢、即ち、断面視において、傾斜面３３ｃの軸Ｏ側の一端よりも他端が完全山部３２側に位置する姿勢で）半端山が面取りされた面として形成される。これにより、半端山部３３の頂を完全山部３２側（食付き部３１の後端側（図２の右側））に位置させることができるので、食付き部３１の先端が下穴に進入する際に、食付き部３１のねじ山（Ｐ４からＰ５の領域のねじ山）が下穴の内周面に食い込む前に半端山部３３の頂が下穴の内周面に接触することを抑制できる。
【００３３】
この場合、食付き部３１のねじ山（凸部３１ａ）が下穴に食い込み始めれば、盛上げタップ１が軸ずれし難くなるため、半端山部３３と下穴の内周面とが接触することを抑制できる。よって、半端山部３３が欠けることを抑制できる。
【００３４】
更に、断面視において、傾斜面３３ｃが軸Ｏと直角な方向よりも完全山部３２側に傾斜した姿勢で形成される（半端山が仮想線Ｖ１に沿って面取りされる）ことにより、半端山部３３の頂が径方向へ突出した形状（軸Ｏから離間する方向へ先細りの山形形状）となる。これにより、凸部３３ａが下穴の内周面に食い込みやすくなるので、凸部３３ａによる盛上げの作用を高めることができる。よって、下穴の内周面に半端山部３３が押圧された状態で擦れ合うことを抑制できるので、半端山部３３が欠けることを抑制できる。
【００３５】
また、断面視において、傾斜面３３ｃは、半端山部３３に隣接する食付き部３１又は完全山部３２のねじ山における食付き部３１の先端側（半端山部３３側。図２の左側）のフランク３１ｃ又はフランク３２ｃと略平行に形成される（図２では、半端山部３３に完全山部３２のねじ山が隣接しているが、断面視において、図１（ｂ）のＰ１からＰ２の領域における半端山部３３は、食付き部３１のねじ山と隣接し、Ｐ２からＰ３の領域における半端山部３３は、完全山部３２のねじ山と隣接している）。
【００３６】
この場合、半端山部３３のフランク３３ｄは、半端山にもとより形成される部位（食付き部３１のねじ山の延長部分）であるため、食付き部３１及び完全山部３２の後端側（図２の右側）におけるフランク３１ｃ，３２ｃと略平行に形成される。
【００３７】
即ち、断面視において傾斜面３３ｃとフランク３３ｄとがなす角度が、食付き部３１および完全山部３２のねじ山の角度（一対のフランク３１ｃ（フランク３２ｃ）どうしがなす角度。本実施の形態では、略３０°）と略同一に形成されるので、凸部３３ａによる盛上げの作用を高めることができる。よって、下穴の内周面に半端山部３３が押圧された状態で擦れ合うことを抑制できるので、半端山部３３が欠けることを抑制できる。
【００３８】
ここで、「略平行」及び「略同一」とは、半端山部３３の面取り時（傾斜面３３ｃの形成時）の公差を許容することが主旨であり、傾斜面３３ｃのフランク角が食付き部３１（完全山部３２）のねじ山の半角±５°の範囲で形成されるものであると定義する。
【００３９】
また、上述した通り、本実施の形態では、Ｐ１からＰ４までの領域が面取りされる。即ち、Ｐ３からＰ４の領域における食付き部３１のねじ山も面取りされることで面取り部３１´が形成される。この面取り部３１´は、食付き部３１のねじ山にもとより形成されていたフランク３１ｃ（食付き部３１の先端側のフランク３１ｃ）と略平行な平面で面取りされた面取り面３１ｃ´を備える。
【００４０】
ここで、面取り部３１´を形成する前の状態では、Ｐ３からＰ４までの領域における食付き部３１のねじ山には、もとよりフランク３１ｃ（食付き部３１の先端側のフランク３１ｃ）が形成されているものの、Ｐ３付近においては、半端山に近い形状に形成される（断面視におけるフランク３１ｃの長さが比較的短く形成される）。よってＰ１からＰ３までの領域における半端山のみを面取りするのでは、Ｐ３を境界にしてねじ山の高さに段差が生じる。
【００４１】
これに対して、本実施の形態の盛上げタップ１によれば、面取り部３１´を備える（即ち、Ｐ３からＰ４までの領域も面取りする）ことにより、Ｐ３を境界にして段差が生じることを抑制することができる。
【００４２】
これにより、半端山部３３及び面取り部３１´の山の高さは、その山のつる巻き線に沿って食付き部３１の先端部から漸次高くなる態様で形成される（Ｐ１からＰ４までの領域において、山の高さが漸次高くなるように半端山部３３及び面取り部３１´が形成される）ので、下穴の内周面と半端山部３３とが接触した状態で盛上げタップ１が回転した場合に、半端山部３３、面取り部３１´および食付き部３１のねじ山によって徐々に下穴の内周面を盛上げることができる。
【００４３】
なお、上述した通り、半端山部３３は、食付き部３１のねじ山の一部であるが、例えば、請求項３，４に記載される「食付き部のねじ山」とは、半端山部３３以外の食付き部３１のねじ山を定義したものであり、Ｐ３からＰ５までの領域がそれに相当する。
【００４４】
次いで、盛上げタップ１の製造方法について説明する。盛上げタップ１の製造では、ねじ山形成工程と、面取り工程とが順に行われる。ねじ山形成工程では、凸部３１ａ，３２ａと逃げ部３１ｂ，３２ｂとを備える食付き部３１及び完全山部３２のねじ山を形成する。この場合、上述した通り、食付き部３１の先端側のねじ山には半端山が形成され、この半端山は、食付き部３１のねじ山の一部として形成されるので、半端山にはもとより凸部および逃げ部が形成されている。
【００４５】
よって、面取り工程において、半端山における隣り合う凸部の頂どうしを、断面視において軸Ｏと直角な方向よりも完全山部３２側へ傾斜した角度（本実施の形態では、食付き部３１の先端側のフランク３１ｃ，３２ｃと平行な角度）、且つ、半端山の逃げ部と略平行な姿勢で（図２の仮想線Ｖ１で示す方向に）面取りすることにより、半端山にもとより形成されていた凸部および逃げ部を残して面取りすることができる。即ち、半端山にもとより形成されている凸部および逃げ部を利用して、半端山部３３の凸部３３ａ、逃げ部３３ｂ、及び、傾斜面３３ｃを容易に形成することができる。
【００４６】
この面取り工程により、食付き部３１の先端部における全てのねじ山（半端山部３３を含む全てのねじ山）に、凸部３１ａ，３３ａ、逃げ部３１ｂ，３３ｂ、フランク３１ｃ、及び、傾斜面３３ｃが形成される。これにより、食付き部３１の先端部における全てのねじ山（半端山部３３を含む全てのねじ山）に下穴の内周面を盛上げる作用を生じさせることができる。
【００４７】
これにより、下穴の内周面と半端山部３３とが接触した状態で盛上げタップ１が回転した場合に、下穴の内周面に半端山部３３が押圧された状態で擦れ合うことを抑制できるので、半端山部３３が欠けることを抑制できる。よって、めねじの加工時に下穴の内周面と食付き部３１（完全山部３２）のねじ山との間に半端山部３３の破片が噛み込まれることを抑制できるので、めねじの加工不良を抑制できる。
【００４８】
次いで、図３を参照して、第２実施の形態について説明する。第１実施の形態では、断面視において傾斜面３３ｃとフランク３３ｄとがなす角度が、食付き部３１および完全山部３２のねじ山の角度と略同一に設定される場合を説明したが、第２実施の形態では、傾斜面２３３ｃとフランク２３３ｄとがなす角度が食付き部２３１及び完全山部２３２のねじ山の角度よりも大きい角度に設定される。なお、上述した第１実施の形態と同一の部分には同一の符号を付して、その説明は省略する。
【００４９】
図３（ａ）は、第２実施の形態における盛上げタップ２０１の正面図であり、図３（ｂ）は、図３（ａ）のＩＩＩｂ−ＩＩＩｂ線における盛上げタップ２０１の部分断面図である。なお、図３では、理解を容易にするために、盛上げタップ２０１の一部が省略して図示される。また、食付き部２３１及び完全山部２３２のねじ山の角度は、略６０°で形成されるが、図３では、食付き部２３１及び完全山部２３２のねじ山が模式的に図示される。
【００５０】
図３に示すように、第２実施の形態では、おねじ部２０３の外周面（逃げ部２３１ｂ，２３２ｂ）に軸Ｏに向けて凹設される油溝２４０が形成されると共に、断面視において、傾斜面２３３ｃとフランク２３３ｄとがなす角度が食付き部２３１及び完全山部２３２のねじ山の角度よりも大きい角度に設定され、それ以外の構成は、第１実施の形態と同じ構成とされる。
【００５１】
傾斜面２３３ｃは、断面視において、少なくとも軸Ｏと直角な方向よりも完全山部２３２側（食付き部２３１の後端側。図３（ｂ）の右側）に傾斜した姿勢で形成される（断面視において、面取り前の半端山の頂よりも、半端山部２３３の頂が食付き部２３１の後端側（図３（ｂ）の右側）に位置するように傾斜面２３３ｃが形成される）ことが好ましい。
【００５２】
この場合には、本実施の形態のように、断面視において、傾斜面２３３ｃは、その傾斜面２３３ｃを含む仮想線Ｖ２と、半端山部２３３に隣接する食付き部２３１又は完全山部２３２のねじ山とが重複しない（重ならない）姿勢で形成されることがより好ましい（図３（ｂ）では、半端山部２３３に完全山部２３２のねじ山が隣接しているが、第１実施の形態と同様、一部の半端山部２３３は、断面視において、食付き部２３１のねじ山と隣接している）。
【００５３】
これにより、研削砥石によって半端山部２３３を面取する（傾斜面２３３ｃを形成する）際に、半端山部２３３に隣接する食付き部２３１及び完全山部２３２のねじ山に研削砥石が接触することを抑制できる。よって、研削砥石を複雑に制御することなく、傾斜面２３３ｃを容易に形成できる。
【００５４】
以上、上記実施の形態に基づき本発明を説明したが、本発明は上記形態に何ら限定されるものではなく、本発明の趣旨を逸脱しない範囲内で種々の変形改良が可能であることは容易に推察できるものである。例えば、食付き部３１，２３１および完全山部３２，２３２のねじ山の角度は例示であり、適宜設定すれば良い（一般的なねじ山の角度としては、２５°〜６５°が挙げられる）。
【００５５】
上記各実施の形態では、半端山部３３，２３３に隣接する食付き部３１，２３１及び完全山部３２，２３２のねじ山を残して半端山部３３，２３３を形成する（半端山を面取りして傾斜面３３ｃ，２３３ｃを形成する）場合を説明したが、必ずしもこれに限られるものではなく、例えば、断面視において、半端山部３３，２３３に隣接する食付き部３１，２３１又は完全山部３２，２３２のねじ山の頂が面取りされる（仮想線Ｖ１，Ｖ２が食付き部３１，２３１又は完全山部３２，２３２と重複する）構成でも良い。即ち、少なくとも面取り前の半端山にもとより形成される凸部および逃げ部を残して面取りして半端山部３３，２３３（傾斜面３３ｃ，２３３ｃ）を形成すれば良い。
【００５６】
上記各実施の形態では、半端山を面取りすることで半端山部３３，２３３が形成される場合を説明したが、必ずしもこれに限られるものではなく、例えば、半端山を面取りせずに半端山部とする構成でも良い。即ち、半端山（半端山部３３，２３３が形成される前の状態）には、もとより凸部および逃げ部が形成されているため、半端山の頂を面取りしない構成でも良い。
【００５７】
上記各実施の形態では、おねじ部３（食付き部３１，２３１及び完全山部３２，２３２）の軸Ｏ方向視における外形形状が略９角形状に形成される場合を説明したが、必ずしもこれに限られるものではなく、９角形以外の多角形の形状でも良い。例えば、４、５、６、又は、８角形状のものが一般的な形状として例示される。
【符号の説明】
【００５８】
１，２０１                          盛上げタップ
３１，２３１                        食付き部
３１´，２３１´                    面取り部
３１ｃ´，２３１ｃ´                面取り面
３２，２３２                        完全山部
３３，２３３                        半端山部
３３ａ，２３３ａ                    半端山部の凸部
３３ｂ，２３３ｂ                    半端山部の逃げ部
３３ｃ，２３３ｃ                    傾斜面
Ｏ                                  食付き部および完全山部の軸（軸）
Ｖ１，Ｖ２                          傾斜面を含む仮想線
【図１】
0006713539.tif 000002
【図２】
0006713539.tif 000003
【図３】
0006713539.tif 000004